(57)【要約】【課題】既存のRRM measurementsの仕組みを利用しつつ、正確な参照信号の受信状態の測定結果を無線アクセスネットワークに報告できる移動局及び移動通信方法を提供する。【解決手段】UE100は、DRSによって指定された参照信号の受信状態を測定する受信状態測定部110と、受信状態の複数の測定値を用いて測定値の時間変動を平滑化する演算を所定のタイミングで繰り返し実行し、受信状態の測定結果を生成するフィルタリング部120と、生成された測定結果を無線アクセスネットワークに報告する測定結果報告部130とを備える。フィルタリング部120は、受信状態測定部110から当該測定値が得られない場合、当該演算を中止する。【選択図】図３
2017060143.tif 000002
【特許請求の範囲】
【請求項１】
免許不要の周波数帯である特定周波数帯を用いて設定されるセルを介した無線通信を実行する移動局であって、
無線アクセスネットワークから前記移動局に制御信号を送信する制御信号送信機能によって指定された参照信号の受信状態を測定する受信状態測定部と、
前記受信状態測定部から提供された前記受信状態の複数の測定値を用いて前記測定値の時間変動を平滑化する演算を所定のタイミングで繰り返し実行し、前記受信状態の測定結果を生成するフィルタリング部と、
前記フィルタリング部によって生成された前記測定結果を前記無線アクセスネットワークに報告する測定結果報告部と
を備え、
前記フィルタリング部は、前記受信状態測定部から前記測定値が得られない場合、前記演算を中止する移動局。
【請求項２】
前記フィルタリング部は、前記受信状態測定部から連続した所定数の前記測定値が得られない場合、前記演算を中止する請求項１に記載の移動局。
【請求項３】
前記フィルタリング部は、前記測定結果報告部によって前記測定結果を前記無線アクセスネットワークに報告する契機までの時間の計測が開始されている場合、前記演算を中止するとともに、前記計測を中止する請求項１または２に記載の移動局。
【請求項４】
前記フィルタリング部は、所定時間が経過しても前記受信状態測定部から前記測定値が得られない場合、前記演算を中止する請求項１に記載の移動局。
【請求項５】
前記フィルタリング部は、前記受信状態測定部から前記測定値が得られなくなった後、前記測定値が再び得られるようになった場合、前記演算を初期化する請求項１乃至４の何れか一項に記載の移動局。
【請求項６】
免許不要の周波数帯である特定周波数帯を用いて設定されるセルを介した無線通信を実行する移動通信方法であって、
移動局が、無線アクセスネットワークから前記移動局に制御信号を送信する制御信号送信機能によって指定された参照信号の受信状態を測定するステップと、
前記移動局が、前記受信状態の複数の測定値を用いて前記測定値の時間変動を平滑化する演算を所定のタイミングで繰り返し実行し、前記受信状態の測定結果を生成するステップと、
前記移動局が、生成した前記測定結果を前記無線アクセスネットワークに報告するステップと
を含み、
前記測定結果を生成するステップでは、前記移動局は、前記測定値が得られない場合、前記演算を中止する移動通信方法。
【発明の詳細な説明】
【技術分野】
【０００１】
本発明は、免許不要の周波数帯であるアンライセンスバンドに設定されるセルを介した無線通信を実行する移動局及び移動通信方法に関する。
【背景技術】
【０００２】
3rd Generation Partnership Project（3GPP）は、Long Term Evolution（LTE）を仕様化し、LTEの更なる高速化を目的としてLTE-Advanced（以下、LTE-Advancedを含めてLTEという）を仕様化している。また、3GPPは、5th generation mobile communication system（5G）と呼ばれるLTEの後継システムを検討している。
【０００３】
このような3GPPにおける検討の中で、無線LANやBluetooth（登録商標）などが利用する免許不要の周波数帯である「アンライセンスバンド」（特定周波数帯）において、LTEによる無線通信を実現するLicensed Associated Access（LAA）が検討されている。
【０００４】
具体的には、キャリアアグリゲーション（CA）を実行する際に、セカンダリーセル（SCell）のコンポーネントキャリア（CC）をアンライセンスバンドに設定することが検討されている（非特許文献１参照）。
【０００５】
アンライセンスバンドの場合、国や地域によるものの、干渉を抑制するため、アンライセンスバンドが他の通信装置によって利用されていないことを事前に確認するListen Before Talk（LBT）を行う必要がある。
【０００６】
また、LAAの場合でも、既存のRadio Resource Management（RRM） measurementsの仕組みを利用して、SCellを設定及び活性化することが合意されている（非特許文献２参照）。
【０００７】
具体的には、Primary Synchronization Signal（PSS）、Secondary Synchronization Signal（SSS）及びCell-specific Reference Signal（CRS）などの制御信号を定期的に無線基地局（eNB）から移動局（UE）に送信するDiscovery Reference Signal（DRS）を利用してRRM measurementsが実行される。
【先行技術文献】
【非特許文献】
【０００８】
【非特許文献１】3GPP RP-141817, “Study on Licensed-Assisted Access to Unlicensed Spectrum”、3GPP、２０１４年１２月、［２０１５年９月１０日検索］、インターネット<URL：http://www.3gpp.org/ftp/tsg_ran/TSG_RAN/TSGR_66/Docs/>
【非特許文献２】3GPP R2-152002, “Draft Report of 3GPP TSG RAN WG2 meeting #89bis””、3GPP、２０１４年１２月、［２０１５年９月１０日検索］、インターネット<URL：http:// http://www.3gpp.org/ftp/tsg_ran/WG2_RL2/TSGR2_90/Docs/>
【発明の概要】
【発明が解決しようとする課題】
【０００９】
上述したように、アンライセンスバンドの場合、LBTを行う必要があるため、eNBは、DRSを送信できない期間が存在する。つまり、LBTが行われると、eNBが下り無線信号を送信できない期間が発生する。
【００１０】
この場合、移動局（UE）は、eNBからの下り無線信号を受信できないが、上述したように、DRSの受信を前提とした既存のRRM measurementsを実行するため、次のような問題がある。
【００１１】
すなわち、UEは、物理レイヤにおける受信状態、具体的には、Reference signal received power（RSRP）や、Reference signal received quality（RSRQ）の測定値に対して、時間変動を平滑化するフィルタリング（Layer 3 filtering）を施す。UEは、当該フィルタリングを施した値を測定結果としてeNB（無線アクセスネットワーク）に報告する。
【００１２】
Layer 3 filteringでは、当該測定値よりも前の測定値も用いた再帰的な演算が行われるため、UEがDRSを受信できない場合、一定期間に渡って正しい測定結果が得られない。
【００１３】
そこで、本発明は、このような状況に鑑みてなされたものであり、アンライセンスバンドにおけるListen Before Talk（LBT）が行われる場合でも、既存のRRM measurementsの仕組みを利用しつつ、正確な参照信号の受信状態の測定結果を無線アクセスネットワークに報告できる移動局及び移動通信方法の提供を目的とする。
【課題を解決するための手段】
【００１４】
本発明の一態様に係る移動局は、免許不要の周波数帯である特定周波数帯を用いて設定されるセルを介した無線通信を実行する。当該移動局は、無線アクセスネットワークから前記移動局に制御信号を送信する制御信号送信機能によって指定された参照信号の受信状態を測定する受信状態測定部と、前記受信状態測定部から提供された前記受信状態の複数の測定値を用いて前記測定値の時間変動を平滑化する演算を所定のタイミングで繰り返し実行し、前記受信状態の測定結果を生成するフィルタリング部と、前記フィルタリング部によって生成された前記測定結果を前記無線アクセスネットワークに報告する測定結果報告部とを備える。前記フィルタリング部は、前記受信状態測定部から前記測定値が得られない場合、前記演算を中止する。
【００１５】
本発明の一態様に係る移動通信方法は、免許不要の周波数帯である特定周波数帯を用いて設定されるセルを介した無線通信を実行するものである。当該移動通信方法には、移動局が、無線アクセスネットワークから前記移動局に制御信号を送信する制御信号送信機能によって指定された参照信号の受信状態を測定するステップと、前記移動局が、前記受信状態の複数の測定値を用いて前記測定値の時間変動を平滑化する演算を所定のタイミングで繰り返し実行し、前記受信状態の測定結果を生成するステップと、前記移動局が、生成した前記測定結果を前記無線アクセスネットワークに報告するステップとが含まれる。前記測定結果を生成するステップ  では、前記移動局は、前記測定値が得られない場合、前記演算を中止する。
【発明の効果】
【００１６】
上述した移動局及び移動通信方法によれば、既存のRRM measurementsの仕組みを利用しつつ、正確な参照信号の受信状態の測定結果を無線アクセスネットワークに報告できる。
【図面の簡単な説明】
【００１７】
【図１】図１は、移動通信システム10の全体概略構成図である。
【図２】図２は、ライセンスバンド及びアンライセンスバンドの割り当て例を示す図である。
【図３】図３は、UE100の機能ブロック構成図である。
【図４】図４は、Discovery Reference Signal（DRS）を含むDiscovery Timing Measurement Configuration（DTMC）の送信フォーマットを示す図である。
【図５】図５（ａ）〜（ｃ）は、受信状態（RSRP/RSRQ）の測定値及び測定結果の例を示す図である。
【図６】図６は、UE100のフィルタリング部120の動作フローを示す図である。
【図７】図７（ａ）〜（ｄ）は、Listen Before Talk（LBT）を行う場合における受信状態（RSRP/RSRQ）の測定値及び測定結果の例を示す図である。
【発明を実施するための形態】
【００１８】
以下、実施形態を図面に基づいて説明する。なお、同一の機能や構成には、同一または類似の符号を付して、その説明を適宜省略する。
【００１９】
（１）移動通信システムの全体概略構成
図１は、本実施形態に係る移動通信システム10の全体概略構成図である。移動通信システム10は、Long Term Evolution（LTE）に従った無線通信システムであり、無線アクセスネットワーク30及び移動局100（以下、UE100）を含む。
【００２０】
無線アクセスネットワーク30は、3GPPにおいて規定されるEvolved Universal Terrestrial Radio Access Network（E-UTRAN）であり、無線基地局40（以下、eNB40）を含む。なお、移動通信システム10は、必ずしもLTE（E-UTRAN）に限定されない。例えば、無線アクセスネットワーク30は、5Gとして規定されるUE100（ユーザ装置）と無線通信を実行する無線基地局を含む無線アクセスネットワークであってもよい。
【００２１】
IPネットワーク20は、Internet Protocolをベースとした通信ネットワークである。IPネットワーク20には、インターネットが含まれてもよい。無線アクセスネットワーク30は、IPネットワーク20に接続されている。
【００２２】
移動通信システム10は、２以上のコンポーネントキャリアを用いて、同時に通信を行うキャリアアグリゲーションに対応している。特に、本実施形態では、移動通信システム10は、Licensed Associated Access（LAA）に基づいたキャリアアグリゲーションを実行することができる。
具体的には、eNB40及びUE100は、LTE用として移動通信システム10（PLMN）のオペレータに免許が与えられたライセンスバンド、及び国などの行政庁による免許が不要な無線通信方式に割り当てられるアンライセンスバンドを用いて無線通信を実行することができる。
【００２３】
図２は、ライセンスバンド及びアンライセンスバンドの割り当て例を示す。図２に示す割り当て例では、ライセンスバンドB1として、800MHz帯、1.7GHz帯及び2GHz帯が用いられている。また、アンライセンスバンドB2として、5GHz帯が用いられている。
【００２４】
5GHz帯は、無線LAN、具体的には、WiFi（登録商標）用として割り当てられている。なお、5GHz帯に限らず、他の周波数帯、例えば、同じくWi-Fiに割り当てられている2.4GHz帯をアンライセンスバンドB2として用いてもよい。また、Bluetooth（登録商標）用として割り当てられている周波数帯（2.4GHz帯）をアンライセンスバンドB2として用いてもよい。
【００２５】
移動通信システム10は、移動通信システム10（PLMN）のオペレータに免許が与えられたライセンスバンドB1に１つのプライマリーセル（PCell）を設定し、アンライセンスバンドB2に１つまたは複数のセカンダリーセル（SCell）を設定することができる。
【００２６】
すなわち、eNB40及びUE100は、免許不要の周波数帯であるアンライセンスバンド（特定周波数帯）を用いて設定されるセルを介した無線通信を実行することができる。
【００２７】
また、上述したように、アンライセンスバンドB2を用いる場合、アンライセンスバンドB2が他の通信装置によって利用されていないことを事前に確認するListen Before Talk（LBT）を行う必要がある。
【００２８】
具体的には、UE100は、アンライセンスバンドB2内のキャリアを用いて無線通信を実行している他のエンティティを検出した場合、当該キャリア周波数において無線信号を送信することができない。
【００２９】
このため、UE100は、無線信号の送信タイミングよりも所定期間前のタイミングにおいてLBTを行う。具体的には、UE100は、送信対象となるキャリアの周波数帯域全体をサーチし、他のエンティティ（無線基地局、LAA-UE及びWiFi装置など）が当該周波数帯域において通信を実行している否かを確認する。
【００３０】
UE100は、当該周波数帯域において通信が実行されていないことを確認できた場合、当該周波数帯域において無線信号（キャリア）を割り当てるClear Channel Assignment（CCA）を実行する。
【００３１】
一方、UE100は、当該周波数帯域において通信実行されていることを検出した場合、具体的には、当該周波数帯域における無線信号の受信電力が閾値を超えていることを検出した場合、当該周波数帯域をキャリアの割り当てから除外する。
【００３２】
より具体的には、UE100は、当該周波数帯域における無線信号の受信電力が閾値を超えている場合、当該周波数帯域におけるチャネルをビジー状態（LBTbusy）と見なし、当該閾値以下の場合、当該チャネルをアイドル状態（LBTidle）と見なす。
【００３３】
LBTのメカニズムには、大別してLoad-Based Equipment（LBE）と、Frame-Based Equipment（FBE）との２種類がある。
【００３４】
LBEでは、UE100は、初期CCAを実行し、LBTidleであれば送信を開始する。一方、UE100は、LBTbusyであればExtended CCA（ECCA）を実行する。一方、FBEでは、UE100は、固定のタイミング及び固定の周期でキャリアセンスを実行し、LBTidleであれば送信を開始する。一方、UE100は、LBTbusyであれば次のキャリアセンスのタイミングまで待機する。
【００３５】
（２）機能ブロック構成
次に、移動通信システム10に含まれるUE100の機能ブロック構成について説明する。図３は、UE100の機能ブロック構成図である。
【００３６】
図３に示すように、UE100は、受信状態測定部110、フィルタリング部120及び測定結果報告部130を備える。
【００３７】
受信状態測定部110は、ライセンスバンドB1及びアンライセンスバンドB2における無線信号の受信状態を測定する。
【００３８】
具体的には、受信状態測定部110は、無線アクセスネットワークから移動局に制御信号を送信するDiscovery Reference Signal（DRS、制御信号送信機能）によって指定された参照信号の受信状態を測定する。
【００３９】
図４は、Discovery Reference Signal（DRS）を含むDiscovery Timing Measurement Configuration（DTMC）の送信フォーマットを示す。図４に示すように、DRSでは、測定オブジェクト（Measurement Objects）を指定可能な制御信号が定期的に送信される。
【００４０】
具体的には、Primary Synchronization Signal（PSS）、Secondary Synchronization Signal（SSS）またはCell-specific Reference Signal（CRS）が、定期的に無線アクセスネットワーク30（eNB40）からUE100に向けて送信される。
【００４１】
このようなDRSによる制御信号の測定は、図４に示すように、Discovery Timing Measurement Configuration（DTMC） Period内の設けられたDMTC windowにおいて実行される。アンライセンスバンドB2を用いる場合、LBTに伴い、DRSが送信できない期間が存在する。
【００４２】
受信状態測定部110は、DRSによって指定された参照信号の受信状態、具体的には、物理レイヤ（PHY layer）における当該参照信号のReference signal received power（RSRP）及びReference signal received quality（RSRQ）を所定の周期で繰り返し測定する。
【００４３】
受信状態測定部110は、測定したRSRP及びRSRQの測定値をフィルタリング部120に提供する。
【００４４】
フィルタリング部120は、受信状態測定部110から提供された受信状態の測定値に対してフィルタリングを実行する。具体的には、フィルタリング部120は、3GPP TS36.331 Section 5.5.3.2などにおいて規定されるLayer 3 filteringの機能を備える。
【００４５】
より具体的には、フィルタリング部120は、受信状態測定部110から提供されたRSRP及びRSRQの複数の測定値を用いて、当該測定値の時間変動を平滑化する演算を所定のタイミングで繰り返し実行する。
【００４６】
Layer 3 filteringは、以下の式を用いて実行される。
【００４７】
【数１】
2017060143.tif 000003
【００４８】
Fnは、更新された測定結果である。Mnは、最新の測定値である。Fn-1は、Fnの直前の測定結果（フィルタリングされた測定値）である。aは、フィルタ係数であり、1/2(k/4)により算出される。当該演算は、所定のタイミング（例えば、200ms）で繰り返し実行される。
【００４９】
Layer 3 filteringの目的は、物理レイヤ（下位レイヤ）における測定値の局所的な時間変動（瞬断の発生など）の平滑化である。
【００５０】
フィルタリング部120は、（式１）に基づく演算を実行することによって受信状態の測定結果（Measurement Result）を生成する。このように、フィルタリング部120は、Radio Resource Control（RRC）レイヤにおいて、物理層における受信状態の測定値に対してLayer 3 filteringを施し、受信状態の測定結果を生成する。
【００５１】
また、フィルタリング部120は、受信状態測定部110から当該測定値が得られない場合、（式１）を用いた演算を中止する。具体的には、フィルタリング部120は、受信状態測定部110から（式１）を用いた演算を繰り返し実行する周期（200ms）、つまり、sampling rateに基づくタイミングにおいて当該測定値が得られない場合、当該演算を中止する。
【００５２】
なお、フィルタリング部120は、受信状態測定部110から連続した所定数の測定値が得られない場合、当該演算を中止してもよい。具体的には、フィルタリング部120は、当該周期（sampling rate）に基づいて得られるべき所定数の測定値が連続して得られない場合、当該演算を中止する。
【００５３】
具体的には、上述したフィルタリング部120の動作は、例えば、3GPP TS36.331 Section 5.5.3.2において、以下のように規定することができる。
【００５４】
2>  if the latest received measurement Mn is not available in the next sampling timing, abort the filtering process;
つまり、次のサンプリングのタイミングにおいて最新の測定値（Mn）が得られない場合、Layer 3 filtering（（式１）を用いた演算）が中止（abort）される。このように、１回でも物理レイヤからの測定値が得られない場合、Layer 3 filteringが中止される。
【００５５】
また、所定数の測定値が得られない場合については、以下のように規定することができる。
【００５６】
2>  if the latest received measurement Mn is not available in n-Layer3Sample times, abort the filtering process;
つまり、n回連続して最新の測定値（Mn）が得られない場合、Layer 3 filteringが中止される。このように、n回に亘って物理レイヤからの測定値が得られない場合、Layer 3 filteringが中止される。
【００５７】
また、上述の”n-Layer3Sample”は、個別シグナリング（ReportConfigEUTRA）によって無線アクセスネットワーク30からUE100に通知してもよいし、報知情報（System Information Block(SIB)など）を用いて無線アクセスネットワーク30からUE100通知してもよい。
【００５８】
ReportConfigEUTRAによる通知の場合、無線アクセスネットワーク30は、UE100の能力（Capability）、具体的には、LAAに対応しているUEか否かを確認して、Layer 3 filteringの中止条件を指示する。一方、報知情報による通知の場合、無線アクセスネットワーク30は、UE100の能力に関係なく、Layer 3 filteringの中止条件を一律に指示する。
【００５９】
また、3GPP TS36.331 Section 5.5.4では、各イベント（A1〜A6, B1, B2, C1, C2）に対応して、測定結果を報告する条件（Entering Condition）が規定されており、測定結果を無線アクセスネットワーク30に報告する契機（Trigger）までの時間（Time To Trigger）に亘って当該条件が満たされた場合、測定結果が無線アクセスネットワーク30に報告される。
【００６０】
フィルタリング部120は、受信状態測定部110から当該測定値が得られない場合、または受信状態測定部110から連続した所定数の測定値が得られない場合において、測定結果報告部130によって当該契機までの時間の計測が開始されている場合、（式１）を用いた演算を中止するとともに、当該契機までの時間の計測を中止する。
【００６１】
具体的には、フィルタリング部120は、Time To Triggerが起動されている場合、Time To Triggerの動作を中止（abort）する。このようなフィルタリング部120の動作は、例えば、3GPP TS36.331 Section 5.5.4において、以下のように規定することができる。
【００６２】
2>  if the triggerType is set to event and no layer 3 filtering measurement is available, abort the timeToTrigger defined for this event within VarMeasConfig;
つまり、当該イベントのTriggerの種類が設定されているが、Layer 3 filteringによる測定結果が得られない場合、VarMeasConfigにおいて該当のイベントのために設定されたTime To Triggerが中止される。
【００６３】
フィルタリング部120は、所定時間が経過しても受信状態測定部110から受信状態の測定値が得られない場合、（式１）を用いた演算を中止することもできる。
【００６４】
具体的には、フィルタリング部120は、受信状態測定部110から前回の受信状態の測定値を得たタイミングから予め規定された所定時間を経過した場合、当該演算を中止する。より具体的には、フィルタリング部120は、前回の受信状態の測定値を得た時点でタイマを起動し、当該所定時間を計測が満了した場合、当該演算を中止する。
【００６５】
或いは、フィルタリング部120は、受信状態測定部110から前回の受信状態の測定値を得た時点から、所定数の当該演算の周期（200ms×n）に相当する時間を経過した場合、当該演算を中止してもよい。つまり、フィルタリング部120は、当該演算の周期のn倍（nは自然数）に相当する時間が経過した場合、当該演算を中止する。
【００６６】
さらに、フィルタリング部120は、受信状態測定部110から前回の受信状態の測定値を得た後、次の測定値が得られない場合、当該演算の周期（sampling rate）を変更してもよい。具体的には、フィルタリング部120は、測定値が得られない場合、当該周期を長く（例えば、200msから800ms）する。
【００６７】
フィルタリング部120は、変更された当該周期による時間（800ms）を経過しても受信状態測定部110から次の測定値が得られない場合、当該演算を中止する。
【００６８】
なお、無線アクセスネットワーク30は、上述した所定時間の設定値、変更後の周期（sampling rate）をUE100（フィルタリング部120）に通知し、フィルタリング部120は、無線アクセスネットワーク30から通知された所定時間の設定値、及び変更後の周期に基づいて、（式１）を用いた演算を中止するか否かを判定してもよい。無線アクセスネットワーク30からの所定時間の設定値の通知は、報知情報（SIB）を用いてもよいし、個別にUE100に通知してもよい。
【００６９】
また、フィルタリング部120は、受信状態測定部110から受信状態の測定値が得られなくなった後、測定値が再び得られるようになった場合、（式１）を用いた演算を初期化することができる。
【００７０】
具体的には、フィルタリング部120は、当該測定値が再び得られるようになった場合、これまでのFn-1を用いずに、（式１）を用いた演算を最初から実行する。
【００７１】
測定結果報告部130は、フィルタリング部120によって生成された測定結果を無線アクセスネットワーク30に報告する。
【００７２】
具体的には、測定結果報告部130は、Time To Triggerによって規定される時間に亘って測定結果を報告する条件（Entering Condition）が満たされた場合、物理レイヤ（下位レイヤ）を介して当該測定結果を無線アクセスネットワーク30に報告する。
【００７３】
図５（ａ）〜（ｃ）は、受信状態（RSRP/RSRQ）の測定値及び測定結果の例を示す。
【００７４】
図５（ｃ）は、物理レイヤ（PHY layer）における受信状態の測定値、具体的には、RSRP/RSRQを示す。
【００７５】
図５（ｂ）は、当該RSRP/RSRQを200msの周期でサンプリングし、Layer 3 filteringが施されたRSRP/RSRQを示す。このように、Layer 3 filteringが施されることによって、物理レイヤにおけるRSRP/RSRQの時間変動が平滑化される。
【００７６】
図５（ａ）は、Layer 3 filteringが施されたRSRP/RSRQの測定結果を示す。図５（ａ）に示すように、Time To Triggerによって規定される時間に亘って当該測定結果を報告する条件（Entering Condition）が満たされた場合、当該測定結果が無線アクセスネットワーク30に報告される。
【００７７】
（３）移動通信システムの動作
次に、上述した移動通信システム10の動作について説明する。具体的には、UE100によるLayer 3 filteringの動作について説明する。
【００７８】
図６は、UE100によるLayer 3 filtering動作フローを示す。具体的には、図６は、UE100のフィルタリング部120の動作フローを示す。
【００７９】
図７（ａ）〜（ｄ）は、Listen Before Talk（LBT）を行う場合における受信状態（RSRP/RSRQ）の測定値及び測定結果の例を示す。
【００８０】
図６に示すように、UE100は、物理レイヤ（PHY layer）からRSRP/RSRQの測定値が提供されているか否かを判定する（S10）。
【００８１】
当該測定値が提供されている場合、UE100は、フィルタリング処理（Layer 3 filtering）を実行する（S20）。具体的には、UE100は、上述した（式１）を用いた演算を実行する。なお、当該測定値が提供されている場合とは、LBTが行われておらず、受信状態測定部110によるRSRP/RSRQの測定ができていることを意味する。
【００８２】
UE100は、フィルタリング処理によって得られた測定結果を出力する（S30）。具体的には、UE100のフィルタリング部120は、当該測定結果を測定結果報告部130に提供する。
【００８３】
一方、当該測定値が提供されていない場合、UE100は、フィルタリング処理を中止する。具体的には、UE100は、上述した（式１）を用いた演算を中止する（S40）。
【００８４】
なお、上述したように、UE100は、連続した所定数の測定値が得られない場合、当該演算を中止してもよいし、タイマまたは当該演算の周期（sampling rate）に基づいて規定される所定時間が経過しても測定値が得られない場合、当該演算を中止してもよい。
【００８５】
また、UE100は、当該演算を中止した場合、測定結果の報告のイベント（A1〜A6, B1, B2, C1, C2）に対応するTime To Triggerが起動中か否かを判定する（S50）。
【００８６】
Time To Triggerが起動中の場合、UE100は、当該Time To Triggerの動作を中止（Abort）する（S60）。つまり、UE100は、起動中のTime To Triggerを強制終了する。
【００８７】
次いで、UE100は、サンプリング時間（200ms）待機する。その後、UE100は、物理レイヤからRSRP/RSRQの測定値の提供が再開されたか否かを判定する（S70）。
【００８８】
当該測定値の提供が再開された場合、UE100は、フィルタリング処理を初期化する（S90）。具体的には、UE100は、当該測定値が再び得られるようになった場合、これまでのFn-1を用いずに、（式１）を用いた演算を最初から実行する。
【００８９】
図７（ａ）〜（ｃ）は、上述した図５（ａ）〜（ｃ）と対応する。図７（ａ）〜（ｃ）が、図５（ａ）〜（ｃ）と異なる部分は、eNB40によってLBTが行われている期間が示されている点である。
【００９０】
図７（ｃ）に示すように、LBTが行われている期間では、UE100は、DRSによる制御信号を受信することができないため、参照信号のRSRP/RSRQを測定することができない。
【００９１】
従って、図７（ｂ）に示すように、当該期間では、サンプリングされたRSRP/RSRQの測定結果（Measurement Result）が得られない。このような場合、図７（ａ）に示すように、UE100は、（式１）を用いた演算を中止し、測定結果を出力しない。
【００９２】
また、図７（ａ）に示すように、UE100は、Time To Triggerが起動されている場合には、当該Time To Triggerの動作を中止（Abort）する。この結果、LBTが行われる期間に関連する測定結果は、無線アクセスネットワーク30に報告されない。
【００９３】
さらに、図７（ｂ）に示すように、UE100は、RSRP/RSRQの測定値の提供が再開された場合、Fnを用いずに、新たに取得した測定値（F0）を用いて当該演算を最初から実行する。
【００９４】
図７（ｄ）は、従来のUEによる測定結果の出力例を示す。図７（ｄ）に示すように、従来のUEの場合、LBTなどによってRSRP/RSRQの測定値が得られない場合、（式１）を用いた演算を実行することができないため、正しい測定結果を出力することができない。
【００９５】
このため、従来のUEでは、実装によって、RSRP/RSRQの最低値が当該測定値として提供されたり、不正確な測定値が提供されたりしていた（図７（ｄ）の領域A参照）。UE100は、上述したような機能を備えることによって、このような問題を解決している。
【００９６】
（４）作用・効果
本実施形態によれば、以下の作用効果が得られる。上述したように、UE100のフィルタリング部120は、受信状態測定部110からRSRP/RSRQの測定値が得られない場合、（式１）を用いた演算を中止する。
【００９７】
これにより、LBTなどによって、UE100が参照信号のRSRP/RSRQを測定できない期間が発生する場合でも、当該期間が影響する測定結果を報告対象から除外することができる。すなわち、UE100によれば、既存のRRM measurementsの仕組みを利用しつつ、正確な参照信号の受信状態の測定結果を無線アクセスネットワーク30に報告できる。
【００９８】
また、このような特徴を有するUE100によれば、LBTが行われることが前提であるアンライセンスバンドB2において参照信号の受信状態を測定する場合でも、正確な測定結果を無線アクセスネットワーク30に報告でき、アンライセンスバンドB2をより有効に活用し得る。
【００９９】
本実施形態では、フィルタリング部120は、受信状態測定部110から連続した所定数の測定値が得られない場合、（式１）を用いた演算を中止することができる。これにより、参照信号が瞬間的に受信できない（瞬断）場合に、即座に演算が中止されることによって測定結果が得られなくなることを防止し得る。
【０１００】
また、フィルタリング部120は、受信状態測定部110から当該測定値が得られなくなった後、測定値が再び得られるようになった場合には、当該演算を初期化する。これにより、時間的に古い測定値を用いた演算が実行されることが回避され、最新の受信状態に応じた測定結果を得ることができる。
【０１０１】
本実施形態では、フィルタリング部120は、測定結果報告部130によって当該測定結果を無線アクセスネットワーク30に報告する契機までの時間（Time To Trigger）の計測が開始されている場合、（式１）を用いた演算を中止するとともに、当該計測を中止する。つまり、フィルタリング部120は、起動中のTime To Triggerを強制終了する。
【０１０２】
これにより、LBTなどが行われる期間に関連する測定結果が無線アクセスネットワーク30に報告されることを確実に排除できるため、測定結果の精度をさらに向上し得る。
【０１０３】
（５）その他の実施形態
以上、実施形態に沿って本発明の内容を説明したが、本発明はこれらの記載に限定されるものではなく、種々の変形及び改良が可能であることは、当業者には自明である。
【０１０４】
例えば、上述した実施形態では、ライセンスバンドB1ではLBTが行われず、アンライセンスバンドB2のみでLBTが行われることを前提としていたが、必ずしもこのような形態に限定されない。すなわち、LBTが行われる場合、ライセンスバンドまたはアンライセンスバンドにかかわらず本発明を適用し得る。
【０１０５】
また、上述した実施形態では、アンライセンスバンドB2にセカンダリーセル（SCell）が設定されるものとして説明したが、このような形態にも限定されない。例えば、ライセンスバンドB1とアンライセンスバンドB2とを用いたデュアルコネクティビティ（DC）や、アンライセンスバンドB2のみを用いてLAAを行う場合（スタンドアローンLAA）でも、本発明を適用し得る。
【０１０６】
また、本発明は、以下のように表現されてもよい。本発明の一態様は、免許不要の周波数帯である特定周波数帯（アンライセンスバンドB2）を用いて設定されるセル（SCell）を介した無線通信を実行する移動局（UE100）であって、無線アクセスネットワーク（無線アクセスネットワーク30）から前記移動局に制御信号を送信する制御信号送信機能（DRS）によって指定された参照信号の受信状態（RSRP/RSRQ）を測定する受信状態測定部（受信状態測定部110）と、前記受信状態測定部から提供された前記受信状態の複数の測定値を用いて前記測定値の時間変動を平滑化する演算を所定のタイミングで繰り返し実行し、前記受信状態の測定結果を生成するフィルタリング部（フィルタリング部120）と、前記フィルタリング部によって生成された前記測定結果を前記無線アクセスネットワークに報告する測定結果報告部（測定結果報告部130）とを備え、前記フィルタリング部は、前記受信状態測定部から前記測定値が得られない場合、前記演算を中止することを要旨とする。
【０１０７】
本発明の一態様において、前記フィルタリング部は、前記受信状態測定部から連続した所定数の前記測定値が得られない場合、前記演算を中止してもよい。
【０１０８】
本発明の一態様において、前記フィルタリング部は、前記測定結果報告部によって前記測定結果を前記無線アクセスネットワークに報告する契機までの時間（Time To Trigger）の計測が開始されている場合、前記演算を中止するとともに、前記計測を中止してもよい。
【０１０９】
本発明の一態様において、前記フィルタリング部は、所定時間が経過しても前記受信状態測定部から前記測定値が得られない場合、前記演算を中止してもよい。
【０１１０】
本発明の一態様において、前記フィルタリング部は、前記受信状態測定部から前記測定値が得られなくなった後、前記測定値が再び得られるようになった場合、前記演算を初期化してもよい。
【０１１１】
本発明の一態様は、免許不要の周波数帯である特定周波数帯を用いて設定されるセルを介した無線通信を実行する移動通信方法であって、移動局が、無線アクセスネットワークから前記移動局に制御信号を送信する制御信号送信機能によって指定された参照信号の受信状態を測定するステップと、前記移動局が、前記受信状態の複数の測定値を用いて前記測定値の時間変動を平滑化する演算を所定のタイミングで繰り返し実行し、前記受信状態の測定結果を生成するステップと、前記移動局が、生成した前記測定結果を前記無線アクセスネットワークに報告するステップと
を含み、前記測定結果を生成するステップでは、前記移動局は、前記測定値が得られない場合、前記演算を中止することを要旨とする。
【０１１２】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【０１１３】
10  移動通信システム
20  IPネットワーク
30  無線アクセスネットワーク
40  eNB
100  UE
110  受信状態測定部
120  フィルタリング部
130  測定結果報告部
B1  ライセンスドバンド
B2  アンライセンスバンド
【図１】
2017060143.tif 000004
【図２】
2017060143.tif 000005
【図３】
2017060143.tif 000006
【図４】
2017060143.tif 000007
【図５】
2017060143.tif 000008
【図６】
2017060143.tif 000009
【図７】
2017060143.tif 000010